【手続補正書】
【提出日】平成23年5月23日(2011.5.23)
【手続補正１】
【補正対象書類名】特許請求の範囲
【補正対象項目名】請求項６
【補正方法】変更
【補正の内容】
【請求項６】
前記操作部材が前記プロセスカートリッジの装着方向の上流側に設けられた、前記装置本体の開閉扉である、又は、回動式のレバー部材であることを特徴とする請求項３または４のいずれかに記載の電子写真画像形成装置。
【手続補正２】
【補正対象書類名】特許請求の範囲
【補正対象項目名】請求項８
【補正方法】変更
【補正の内容】
【請求項８】
支持部材と、前記支持部材を水平方向に移動させ、かつ、上下移動させる移動部材と、前記移動部材を移動させる操作部材と、規制部と、本体側位置決め部と、本体側弾性部材と、を有する電子写真画像形成装置の装置本体に取り外し可能に装着されるプロセスカートリッジであって、
電子写真感光体ドラムと、
前記電子写真感光体ドラムに作用するプロセス手段と、
前記電子写真感光体ドラムの長手方向の一端側と他端側とに設けられ、かつ、前記プロセスカートリッジが前記装置本体に装着された状態で、プロセスカートリッジの上面に設けられた被位置決め部と、
前記プロセスカートリッジを前記装置本体に装着する際に、前記支持部材に支持される被支持部と、
前記操作部材の操作によって前記移動部材が移動して、前記支持部材が前記プロセスカートリッジを支持した状態で水平方向に移動し、かつ上昇する際に、前記プロセスカートリッジが前記水平方向に移動するのを前記規制部と接触して規制される、前記カートリッジを前記装置本体に装着する装着方向先端に設けられた被規制部と、
前記プロセスカートリッジが前記装置本体に装着された状態で、前記被位置決め部を前記本体側位置決め部に押圧させるように、前記本体側弾性部材から力を受ける被付勢部であって、前記長手方向の一端側と他端側とに設けられ、かつ、前記プロセスカートリッジが前記装置本体に装着された状態で、プロセスカートリッジの下面に設けられた被付勢部と、
を有し、
前記支持部材が前記プロセスカートリッジを支持した状態で水平方向に移動し、かつ上昇する際に、前記被支持部が前記支持部材と摺動して、及び、前記被規制部が前記規制部と摺動するように構成されていることを特徴とするプロセスカートリッジ。
【手続補正３】
【補正対象書類名】特許請求の範囲
【補正対象項目名】請求項１０
【補正方法】変更
【補正の内容】
【請求項１０】
プロセスカートリッジを取り外し可能に装着して、記録媒体に画像を形成するカラー電子写真画像形成装置において、
（１）支持部材と、
（２）前記支持部材を水平方向に移動させ、かつ、上下移動させる移動部材と、
（３）前記プロセスカートリッジを前記電子写真画像形成装置の装置本体に着脱する際に、前記プロセスカートリッジが通過する開口部と、
（４）前記開口部を開放可能に閉じる開閉部材であって、前記移動部材と連動する開閉部材と、
（５）前記支持部材に設けられており、前記開閉部材の開閉動作と連動して、前記プロセスカートリッジを支持する支持部を開閉する内側開閉部材であって、前記開閉部材の開き動作に連動して開き位置に移動して、前記支持部材に前記プロセスカートリッジを押し込む際に、前記プロセスカートリッジの一部を支持する内側開閉部材と、
（６）規制部と、
（７）本体側位置決め部と、
（８）本体側弾性部材と、
（９）電子写真感光体ドラムと、
前記電子写真感光体ドラムに作用するプロセス手段と、
前記電子写真感光体ドラムの長手方向の一端側と他端側とに設けられ、かつ、前記プロセスカートリッジが前記装置本体に装着された状態で、前記プロセスカートリッジの上面に設けられた被位置決め部と、
前記プロセスカートリッジを前記装置本体に装着する際に、前記支持部材に支持される被支持部と、
前記開閉部材の閉じ操作によって前記移動部材が移動して、前記支持部材が前記プロセスカートリッジを支持した状態で水平方向に移動しかつ上昇する際に、前記プロセスカートリッジが前記水平方向に移動するのを前記規制部と接触して規制される、前記カートリッジを前記装置本体に装着する装着方向先端に設けられた被規制部と、
前記プロセスカートリッジが前記装置本体に装着された状態で、前記被位置決め部を前記本体側位置決め部に押圧させるように、前記本体側弾性部材から力を受ける被付勢部であって、前記長手方向の一端側と他端側とに設けられ、かつ、前記プロセスカートリッジが前記装置本体に装着された状態で、プロセスカートリッジの下面に設けられた被位置決め部と、
を有し、
前記支持部材が前記プロセスカートリッジを支持した状態で水平方向に移動し、かつ上昇する際に、前記被支持部が前記支持部材と摺動して、及び、前記被規制部が前記規制部と摺動するように構成されている複数個のプロセスカートリッジと、
を有することを特徴とする電子写真画像形成装置。
【手続補正４】
【補正対象書類名】特許請求の範囲
【補正対象項目名】請求項１３
【補正方法】変更
【補正の内容】
【請求項１３】
前記画像形成装置の装置本体には、前記プロセスカートリッジを前記装置本体に装着する装着方向において、前記支持部材の下流側に、前記規制部としての奥側フレームが設けられており、また、前記奥側フレームにはフレーム開口部が設けられており、前記支持部材に前記プロセスカートリッジを支持するために、前記プロセスカートリッジの有する被規制部が前記奥側フレームに接触するまで前記プロセスカートリッジを押し込むと、前記装置本体から前記電子写真感光体ドラムを回転するための回転力を受けるドラム回転力受け部と、前記装置本体から前記プロセス手段である現像ローラを回転するための回転力を受ける現像ローラ回転力受け部とが前記フレーム開口部から前記プロセスカートリッジの装着方向の下流側に突出することを特徴とする請求項１０乃至請求項１２のいずれか一つの項に記載の電子写真画像形成装置。
【手続補正５】
【補正対象書類名】明細書
【補正対象項目名】００２５
【補正方法】変更
【補正の内容】
【００２５】
本実施例の画像形成装置１は、電子写真プロセスを用いた、４色フルカラーのレーザビームプリンタ（カラー電子写真画像形成装置）である。即ち、パソコン・イメージリーダ等の外部ホスト装置Ｂから制御回路部（制御手段：ＣＰＵ）Ａに入力する電気的画像信号に基づいて、シート状の記録媒体Ｐに画像形成を行う。制御回路部Ａは、外部ホスト装置Ｂや操作部３０との間で各種の電気的情報の授受を行う。また、回路部Ａは、画像形成装置１の画像形成動作を所定の制御プログラムや参照テーブルに従って統括的に制御する。
【手続補正６】
【補正対象書類名】明細書
【補正対象項目名】００５９
【補正方法】変更
【補正の内容】
【００５９】
図７の（ｂ）は、カートリッジ１１が装着方向の奥側まで装着された状態を示す状態図である。カートリッジ１１が矢印Ｊ方向に装着されると、クリーニング枠体３１の奥側に設けられた、即ち、カートリッジ１１を装置本体に装着する装着方向先端に設けられた被規制部３１ｊが、装置本体３に設けられた規制部６２（奥側フレーム）の内面に接触する。これによって、カートリッジ１１は、装着方向奥側まで装着された状態になる。これにより、装置本体３に対するカートリッジ１１の長手方向の位置が決まる。しかし、この状態において、カートリッジ１１は、装置本体３に対して十分には位置が決まっていない。また、ドラム１２もベルト４ａに接触してはいない。尚、被規制部３１ｊは、枠体３１の装着方向下流側に一体に設けられている。
【手続補正７】
【補正対象書類名】明細書
【補正対象項目名】００６４
【補正方法】変更
【補正の内容】
【００６４】
図８は、支持部材４１の昇降機構５０の斜視図である。即ち、支持部材４１が第２の位置に移動されていて、カートリッジ１１が装置本体３に対して着脱可能な状態において、カートリッジ１１を取り除いた状態を示した斜視図である。図９は、支持部材４１の昇降動作を説明する側面図である。図９において、カートリッジが装着された状態である第２の位置における支持部材４１Ｋ・移動部材１０１Ｋ，１０２Ｋ・内扉２Ａは、実線で示している。また、カートリッジ１１が装置本体３に十分に位置決めされた第１の位置における支持部材４１Ｋ・移動部材１０１Ｋ，１０２Ｋ・内扉２Ａは、二点鎖線で示している。図１０は、第１の位置における支持部材４１の昇降機構５０Ｋ、及びカートリッジ１１の長手方向における部分断面図である。
【手続補正８】
【補正対象書類名】明細書
【補正対象項目名】００７９
【補正方法】変更
【補正の内容】
【００７９】
リンク軸（第３の回転軸）１２０は、前記仮想平面Ｃの傾斜角θと略同じ角度にて水平方向に対して右下がりで斜めになるように設けられている。リンク軸１２０は、装置本体３の手前側フレーム６１に設けられた軸受け部材に回転可能に支持されており、内扉回転軸２Ｅと略平行であり、内扉回転軸２Ｅよりも上に位置している（図１１）。
【手続補正９】
【補正対象書類名】明細書
【補正対象項目名】００９０
【補正方法】変更
【補正の内容】
【００９０】
内扉２Ａは、開いた状態で、操作者がカートリッジ１１を支持部材４１に装着する際の補助機能を有する。即ち、内扉２Ａは、支持部材４１に設けられており、開閉扉２の開閉動作と連動して、カートリッジを支持する支持部を開閉する内側開閉部材である。そして、内扉２Ａは、開閉扉２の開き動作に連動して開き位置に移動して、支持部材４１にカートリッジ１１を押し込む際に、カートリッジの一部を支持する。操作者がカートリッジ１１を支持部材４１に装着する際に、カートリッジ１１の先端側は支持部材４１に載せて、後端側は内扉２Ａに載せる（図４のカートリッジ１１Ｙを参照）。その後、操作者がカートリッジ１１を装置本体３内へ向かって押し込めばよい。本実施形態は、内扉２Ａを設けた。これによって、操作者がカートリッジ１１を支持部材４１に装着するにあたって、カートリッジ１１を支持部材４１に直に押し込む場合と比較して、カートリッジ１１の装着操作性を向上させることができた。本実施形態は、重量の大きいカートリッジ１１を装置本体３に装着する際に、特に有効である。
ここで、カートリッジ１１の有する軸受け部材３２Ｆ，３２Ｒは、前述したようにドラム１２を支持する機能に加えて、カートリッジ１１を装置本体３に位置決めする際の被位置決め部としての機能も有する。即ち、図７（ｃ）に示すように、カートリッジ１１を支持した支持部材４１を第２の位置から第１の位置に移動させる。これによって、軸受け部材３２Ｆが、手前側フレーム６１の突き当て部６１ｂに接触する。また、軸受け部材３２Ｒが、奥側フレーム６２の突き当て部６２ａに接触する。これにより、カートリッジ１１は装置本体３に対して位置が決まる。また、この状態においてドラム１２とベルト４ａが当接する。尚、軸受け部材３２Ｆは、クリーニング枠体３１の長手方向の一端部に、軸受け部材３２Ｒは前記長手方向の他端部に設けられている。また、軸受け部材３２Ｆ、３２Ｒは、ドラム１２の軸線と同軸線上に、及び、ドラム１２の軸線方向において一端側と他端側とに設けられている。従って、ドラム１２を装置本体３に精度良く位置決めした状態で、カートリッジ１１を、装置本体３に位置決めすることができる。
【手続補正１０】
【補正対象書類名】明細書
【補正対象項目名】０１１２
【補正方法】変更
【補正の内容】
【０１１２】
このような構成とすることで、実施例１と同じ効果を得ることができる。つまり、カートリッジ１１が装置本体３に対して十分に位置が決まっていない状態でも、カートリッジ１１を装置本体３に確実に装着することができる。